(57)【特許請求の範囲】
【請求項１】
ハウジングの室内に設けられかつ平らな金属板打抜き部品から曲げて形成される電気接触素子（１）が、弾性的に互いに離れるように変形可能な鋏み刃（３ａ）の間に電気ケーブル（２）の絶縁物切り開き導電接続用導入スリット（３ｂ）を形成する鋏み刃対（３）と、二又ばね脚片（５ａ）の間に平刃プラグ（４）との接触用導入スリット（５ｂ）を形成する二又ばね脚片対（５）とを持ち、各二又ばね脚片（５ａ）が互いに無関係に弾性的に撓む２つの板ばね（５ｃ）から形成され、各板ばね（５ｃ）に、内方へ導入スリット（５ａ）の中へ突出する少なくとも１つの接触区域（６）が形成され、１つの二又ばね脚片（５ａ）の２つの板ばね（５ｃ）の接触区域（６）が、電気接触素子（１）の縦中心線の側方に形成されているものにおいて、１つの二又ばね脚片（５ａ）に属する２つの板ばね（５ｃ）の接触区域（６）が、二又ばね脚片（５ａ）の縦方向に互いにずれて設けられていることを特徴とする、電気接触素子。
【請求項２】
同じ二又ばね脚片（５ａ）の一方の板ばね（５ｃ）の接触区域（６）が点状接触面（６ａ）を持ち、他方の板ばね（５ｃ）の接触区域（６）が線状接触面（６ａ）を持っていることを特徴とする、請求項１に記載の電気接触素子。
【請求項３】
異なる二又ばね脚片（５ａ）の直接対向する２つの板ばね（５ｃ）の接触区域（６）が同じ形状の接触面（６ａ）を持っていることを特徴とする、請求項２に記載の電気接触素子。
【発明の詳細な説明】
【０００１】
【産業上の利用分野】
本発明は、ハウジングの室内に設けられかつ平らな金属板打抜き部品から曲げて形成される電気接触素子が、弾性的に互いに離れるように変形可能な挟み刃の間に電気ケーブルの絶縁物切り開き導電接続用導入スリツトを形成する挟み刃対と、二又はね脚片の間に平刃プラグとの接触用導入スリツトを形成する二又ばね脚片対とを持つている、プラグ形コネクタ用の電気接触素子に関する。
【０００２】
【従来の技術】
このような電気接触素子は例えば欧州特許第０４１６３０６号明細書から公知である。この公知の電気接触素子は、一端に挟み刃対を持ち、その弾性的に互いに離れるように変形可能な挟み刃の間に、絶縁物切り開き導電接続技法で電気導体を固定することができる。接触素子の他端は二又ばね脚片対として構成され、その二又ばね脚片の間に電気接触のため、例えば電気プラグ形コネクタのプラグの接触ピンを押込むことができる。二又ばね脚片とプラグの押込まれる接触ピンとの間の確実な接触を保証するため、二又ばね脚片は内方へ導入スリツトの中へ突出する接触区域を持つている。刻印部として形成されるこれらの接触区域は、一般に二又ばね脚片対とプラグの押込まれる接触ピンとの良好な接触を行うが、特に平刃プラグを使用する場合、はめ合わされた状態で接触区域がちようど平刃プラグの係止穴の範囲にあり、従つて充分確実な電気接触が保証されないという事態がおこり得る。
【０００３】
【発明が解決しようとする課題】
これから出発して本発明の基礎になっている課題は、異なる大きさの接触ピンを使用する場合にも、二又ばね脚片対と導入スリットへ押込まれる接触ピンとの間に常に確実な接触が保証され、従来の接触素子と比較して接触素子の押込み力が少なくてすむように、電気接触素子を改良することである。
【０００４】
【課題を解決するための手段】
この課題を解決するため本発明によれば、各二双ばね脚片が互いに無関係に弾性的に撓む２つの板ばねから形成され、各板ばねに、内方へ導入スリットの中へ突出する少なくとも１つの接触区域が形成され、１つの二双ばね脚片の２つの板ばねの接触区域が、電気接触素子の縦中心線の側方に形成され、１つの二双ばね脚片に属する２つの板ばねの接触区域が、二双ばね脚片の縦方向に互いにずれて設けられている。
【０００５】
【発明の効果】
偏心してずれて接触区域を設けられる２つの別々に撓む板ばねにより二又ばね脚片を構成することにより、二又ばね脚片の間の導入スリツトへ押込まれる接触ピンの押込み力を減少すると共に、係止穴を持つ平刃プラグを使用する場合係止穴の範囲における接触を回避することができる。なぜならば平刃プラグの係止穴は平刃プラグの中央に形成されているからである。
【０００６】
更に本発明によれば、１つの二又ばね脚片に属する２つの板ばねの接触区域は二又ばね脚片の縦方向に互いにずれて設けられているので、異なる接触ピンを使用する場合にも、二又ばね脚片と導入スリットへ押込まれる接触ピンとの確実な電気接触が保証される。
【０００７】
充分な電気接触を行い特に傾斜接触も回避する確実性は、本発明の好ましい実施態様によれば、一方の板ばねの接触区域が点状接触面を持ち、他方の板ばねの接触区域が線状接触面を持つていることにより、強めることができる。
【０００８】
押込まれる接触ピンに対する二又ばね脚片の個々の板ばねの均一な押圧力を得るために、直接に対向する２つの板ばねの接触区域が同じ形状の接触面を持つている。
【０００９】
それ以上の詳細及び利点は、本発明による電気接触素子の実施例が示されている添付図面の以下の説明から明らかになる。
【００１０】
【実施例】
図１に示す電気接触素子１は１片の金属板打抜き部品から成り、この金属板打抜き部品から順次に続く曲げ過程により電気接触素子１が形成される。その時平らな金属板打抜き部品から、図１ないし３に示すような電気接触素子１が得られる。
【００１１】
いわゆる絶縁物切り開き導電接続技法で電気接触素子１に電気ケーブル２を接触させることができるようにするため、電気接触素子１は２つの互いに平行に設けられる挟み刃対３を持つている。これらの挟み刃対３の各々は２つの挟み刃３ａから成り、これらの挟み刃３ａはその間に電気ケーブル２用の導入スリツト３ｂを形成している。
【００１２】
電気接触素子１と電気プラグ形コネクタのプラグの接触ピン例えば平刃プラグ４とを接触させるため、電気接触素子１は挟み刃対３とは反対側の自由端に二又ばね脚片対５を持つている。二又ばね脚片対５は２つの二又ばね脚片５ａから成り、これらの二又ばね脚片５ａはその間に接触ピン即ち平刃プラグ４用の導入スリツト５ｂを形成している。図２及び３からわかるように、各二又ばね脚片５ａは２つの分離した板ばね５ｃから成つている。
【００１３】
二又ばね脚片５ａと導入スリツト５ｂへ押込まれる平刃プラグ４との確実な電気接触を保証するため、各板ばね５ｃには、図１からわかるように、内方へ導入スリツト５ｂの中へ突出する接触区域６が形成されている。
【００１４】
図２及び３には、電気接触素子１と平刃プラグ４との接触が示されている。接触のため平刃プラグ４が二又ばね脚片対５の導入スリツト５ｂへ押込まれ、それにより二又ばね脚片５ａが互いに離れるように曲げられる。二又ばね脚片５ａが個々の板ばね５ｃに分割して構成されているため、押込み力が減少される。なぜならば個々の板ばね５ｃは、その小さい幅のため、１つの単独の二又ばね脚片５ａより弾性的だからである。なるべく凹みにより形成される接触区域６は、二又ばね脚片５ａの縦方向に互いにずれて、電気接触素子１の縦中心線に対して偏心して設けられ、１つの二又ばね脚片５ａの両方の板ばね５ｃの接触区域６は異なる形状の接触面６ａを持つている。
【００１５】
接触区域６のずれた配置により、図３に示すように、平刃プラグ４が導入スリツト５ｂへ完全に押込まれる時、二又ばね脚片５ａの接触区域６が平刃プラグ４の係止穴４ａの範囲では平刃プラグ４に接触せず、それにより不充分な電気接触が生ずることはない。図３からよくわかるように、接触区域６の接触面６ａは、平刃プラグ４の係止穴４ａから少し離れた所で、平刃プラグ４に接触している。
【００１６】
従つてこのように構成される電気接触素子１により、プラグの接触ピン即ち平刃プラグ４との接触を行うための押込み力を減少すると共に、二又ばね脚片５ａの接触区域６と押込まれるプラグの接触ピンとの常に充分な接触を保証することが可能になる。
【図面の簡単な説明】
【図１】電気接触素子の側面図である。
【図２】平刃プラグの押込み前における電気接触素子の正面図である。
【図３】平刃プラグを押込まれた電気接触素子の正面図である。
【符号の説明】
１            電気接触素子
２            電気ケーブル
３            挟み刃対
３ａ          挟み刃
３ｂ，５ｂ    導入スリツト
４            平刃プラグ
５            二又ばね脚片対
５ａ          二又ばね脚片
５ｃ          板ばね
６            接触区域
【図１】
0003809564.tif 000002
【図２】
0003809564.tif 000003
【図３】
0003809564.tif 000004